(57)【要約】【課題】センサー検知による室内報知の許可／禁止をユーザが自由に設定できるセンサー感応型インターホンシステムを提供する。【解決手段】インターホン親機１は、センサー４１検知による起動信号を受けたときにセンサーが感応したことを室内に報知するか、報知しないかを切り替えることができるようにしたセンサーモード設定ボタン１２を備え、センサー付きインターホン子器に対して報知／非報知モードを通知する構成となっている。そして、センサー付きインターホン子器３は、音や光などを発する威嚇手段３７、３８を備え、非報知モードに設定されている場合に、センサーが感応したときには、威嚇出力するようにしている。【選択図】図１
2004297203.tif 000002
【特許請求の範囲】
【請求項１】
センサー付きインターホン子器と、このセンサーによる起動信号を受けたときに、センサー感応を室内に報知することを可能としたインターホン親機とを備えたセンサー感応型インターホンシステムであって、
上記インターホン親機は、上記センサー検知による起動信号を受けたときに、センサーが感応したことを室内に報知するか、報知しないかを切り替えることができるようにしたセンサーモード設定ボタンを備え、上記センサー付きインターホン子器に対して報知／非報知モードを通知する構成となっており、
上記センサー付きインターホン子器は、音や光などを発する威嚇手段を備え、少なくとも非報知モードに設定されている場合に、センサーが感応したときには威嚇出力することを特徴とする、センサー感応型インターホンシステム。
【請求項２】
請求項１において、
上記センサー付きインターホン子器は、動作電力をインターホン親機より供給されるようになっており、
上記インターホン親機は、上記起動信号を受けたときに、上記センサー付きインターホン子器に対して、報知／非報知モードに対応させて異なる電圧値の動作電力を供給して、モードを通知することを特徴とする、センサー感応型インターホンシステム。
【請求項３】
請求項２において、
上記センサー付きインターホン子器はカメラを備えており、
上記インターホン親機は、報知モードのときはカメラ駆動のための高電圧の動作電力を、非報知モードのときは威嚇出力のための低電圧の動作電力を供給することを特徴とする、センサー感応型インターホンシステム。
【請求項４】
請求項２または３において、
上記インターホン親機は、間欠的に動作電力を供給し、未給電期間内の一定時間は上記起動信号を無視することを特徴とする、センサー感応型インターホンシステム。
【請求項５】
請求項２〜４のいずれかにおいて、
上記センサー付きインターホン子器には、外部機器が接続できる構成となっており、
上記インターホン親機は、インターホン子器に上記外部機器が接続されたときに、上記外部機器の負荷増大による電圧の変化を検知して、上記外部機器の接続を判別することを特徴とする、センサー感応型インターホンシステム。
【請求項６】
請求項５において、
上記センサー付きインターホン子器は、センサーが感応した場合、上記外部機器への電力供給を停止させることを特徴とする、センサー感応型インターホンシステム。
【発明の詳細な説明】
【０００１】
【発明の属する技術分野】
本発明は、玄関先等に設置されるセンサー付きインターホン子器と、室内に設置されるインターホン親機とを組み合わせて構成されるセンサー感応型インターホンシステムの改良に関するものである。
【０００２】
【従来の技術】
近年のインターホンシステムには、子器側に人感センサーを内蔵させて、この人感センサーが人を検知したときに照明を点灯させたり、室内のインターホン親機にセンサー検知を通知して室内に報知音を鳴動させたりするものがある。
【０００３】
図１０は、この種のインターホンシステムの一例を示す図である。なお、ここでは、例としてカメラインターホンシステムを示している。
【０００４】
インターホン親機１００は、インターホン子器３００に内蔵したセンサーｅによる人の検知信号を受信すると、子器３００が動作するための電力を供給すると同時に、子器３００がセンサー感知したことをモニタａやスピーカｂから画像や音で知らせる構成となっている。
【０００５】
インターホン子器３００は、センサーｅが感応したときに人などを撮像するためのカメラｄや、訪問者の声や周辺の音を拾うためのマイクｇ、親機１００からの音声を出力するためのスピーカｆなどを備えており、インターホン親機１００は、子器３００のカメラｄで写した映像を映し出すためのモニタａ、報知音などを出力させるためのスピーカｂ、訪問者に話しかけるためのマイクｃなどを備えている。
【０００６】
この種のインターホンシステムは、子器側に人を検知することができるセンサーを設けているので、家人は不審者などの玄関先での徘徊を室内に居ながら警告音や映像などで知ることができ、防犯効果はきわめて高い。また、センサー検知で屋外の照明機器を連動させることにより、不審者に対する威嚇や周辺への報知もできるという効果もある。
【０００７】
この種のシステムの文献例として、特許文献１に示すセキュリティ玄関管理システムが挙げられる。
【０００８】
【特許文献１】
特許第３３６８０１９号公報
【０００９】
【発明が解決しようとする課題】
しかしながら、従来のこのような構成のセンサー感応型インターホンシステムでは、子器側でセンサーが感応するたびに、インターホン親機からは報知音や映像が出力されるため、深夜や報知してほしくない時にも動作するという問題があった。
【００１０】
本発明は、このような問題を解決すべく提案されたもので、その目的は、センサー検知による室内報知の許可／禁止をユーザが自由に設定できるセンサー感応型インターホンシステムを提供することにある。
【００１１】
また、消費電力を少なくできるようにした省エネ型のセンサー感応型インターホンシステムを提供することを第２の目的とする。
【００１２】
【課題を解決するための手段】
上記目的を達成するために、請求項１に記載のセンサー感応型インターホンシステムは、センサー付きインターホン子器と、このセンサーによる起動信号を受けたときに、センサーが感応したことを室内に報知することを可能としたインターホン親機とを備えたセンサー感応型インターホンシステムであって、次の構成となっている。
【００１３】
すなわち、インターホン親機は、センサー検知による起動信号を受けたときにセンサーが感応したことを室内に報知するか、報知しないかを切り替えることができるようにしたセンサーモード設定ボタンを備え、センサー付きインターホン子器に対して報知／非報知モードを通知する構成となっている。そして、センサー付きインターホン子器は、音や光などを発する威嚇手段を備え、少なくとも非報知モードに設定されている場合に、センサーが感応したときには、威嚇出力するようにしている。
【００１４】
この構成により、センサー感応時の室内報知の許可／禁止の設定が容易にでき、その結果、報知を必要としないときには、室内への報知音鳴動などを禁止できるとともに、子器側での光や音の威嚇出力により不審者を退散させることも可能となっている。
【００１５】
請求項２では、センサー付きインターホン子器は動作電力をインターホン親機より供給されるようになっており、インターホン親機は起動信号を受けたときに、センサー付きインターホン子器に対して、報知／非報知モードに対応させて異なる電圧値の動作電力を供給して、モードを通知することを特徴としている。
【００１６】
すなわち、変動する供給電力の動作電圧がモード通知手段となっており、特別なモード信号を送出することなく、インターホン子器はモードに応じた動作を行うことができる。
【００１７】
請求項３に記載のシステムは、センサー付きインターホン子器がカメラを備えており、すなわち、テレビモニタインターホンシステムを形成している。そして、インターホン親機は、報知モードのときはカメラ駆動のための高電圧の動作電力を、非報知モードのときは威嚇出力のための低電圧の動作電力を供給するようにしている。
【００１８】
請求項４では、インターホン親機は間欠的に動作電力を供給し、未給電期間内の一定時間は起動信号を無視する構成としている。
【００１９】
これにより、センサー感応が頻繁な場合などのインターホン子器に対する断続的な給電が防止でき、その結果、節電効果を上げることができ、また発熱を抑制することもできる。
【００２０】
請求項５に記載のシステムは、センサー付きインターホン子器には外部機器が接続できる構成となっており、インターホン親機は、インターホン子器側に外部機器が接続されたときに、外部機器の負荷増大による電圧の変化を検知して、外部機器の接続を判別することを特徴としている。
【００２１】
請求項６では、センサー付きインターホン子器は、センサーが感応した場合、外部機器への電力供給を停止させる構成としている。
【００２２】
すなわち、請求項５、６では、子器側にセンサーなどの外部機器が接続されているときに、インターホン親機はインターホン子器の電圧変化により、子器の状態を判別することができ、その状態に応じて親機側の報知等の動作を自動的に変えることができる。
【００２３】
【発明の実施の形態】
以下に、本発明の実施の形態について図面とともに説明する。
【００２４】
図１は、センサー感応型インターホンシステムの構成例を示した図である。このインターホンシステムは、室外の玄関先などに設置されたカメラ内蔵型のセンサー付きインターホン子器３と、室内などに設置されたモニタ付きインターホン親機１を、伝送線Ｌによって接続して構成されている。なお、ここではカメラによる監視可能なシステムを示しているが、これに限定されるものではない。
【００２５】
このシステムのセンサー付きインターホン子器３には、親機側で屋外の映像を映し出すための撮像用のカメラ３９、通話用のマイク４０、スピーカ３８、内蔵型の人感センサー４１、不審者への威嚇用光源（ＬＥＤ）３７などが備えられ、インターホン親機１には、屋外映像を映し出すモニタテレビ１９、通話用のマイク２０、スピーカ１８、報知／非報知モードを設定するためのセンサーモード設定ボタン１２などが備えられている。
【００２６】
このインターホンシステムでは、親機１、子器３間で伝送線Ｌを介して、カメラ３９で撮像した映像信号や相互の音声信号を伝送するほか、親機１からはカメラ３９駆動などのための動作電力を子器３に供給している。
【００２７】
本システムは、伝送線Ｌを介して音声信号を送受しながら訪問客と通話するインターホン機能や、カメラ映像信号を親機側へ伝送して訪問者などを監視するカメラ監視機能、人感センサー４１で不審者などを感知したときに起動信号を親機側へ伝送して報知音の鳴動などをさせる防犯機能などの基本機能を有している。
【００２８】
特に本発明では、ユーザがインターホン親機１のセンサーモード設定ボタン１２を操作すれば、子器３側の人感センサー４１が感応したときに、親機１にて音や映像で報知を行うか行わないかの設定ができるようになっている。すなわち、このボタン１２はセンサー４１による報知／非報知のモードの切り替えを行えるようにした操作手段である。
【００２９】
このように、本発明システムでは、センサー感応時の室内報知をユーザ操作により許諾／禁止できるようにしているので、ユーザは防犯のためにセンサー報知を必要とするときには報知モードに設定し、これにより報知音等で不審者の玄関先での徘徊を知ることができ、一方、報知音が不要なときには非報知モードに設定し、これによりセンサー感応しても報知音を鳴動させないようにし、その代わりに、子器３に設けた威嚇用光源３７を点灯、点滅させて、不審者を退散させることができる。なお、他の威嚇手段として、スピーカ３８から大音響を鳴動させてもよい。また、報知モード時にも威嚇出力できるようにしてもよい。
【００３０】
図２〜図４は、センサー感応型インターホンシステムの要部構成をブロック図で示したものである。なお、図面構成上、図２にシステムの全体構成を示し、図３にセンサー付きインターホン子器３、図４にインターホン親機１の各内部構成を示している。
【００３１】
センサー付きインターホン子器３には、以下の各部を制御するマイコンなどで構成された子器制御部３１、親機１にセンサー検知による起動信号を発生させる起動信号発生部３２、子器の電圧を検出する電圧検出部３３、親機１からの音声を受信する音声受信部３４、カメラ映像と音声を送出する映像音声送信部３５、電池電源や親機１から給電を受けた電力をカメラ部３９等に供給する子器電源部３６、ＬＥＤなどで構成された威嚇用光源部３７、スピーカ部３８、カメラ部３９、マイク部４０、人感センサーなどで構成されたセンサー部４１を備えている（図３）。
【００３２】
一方、インターホン親機１には、各部を制御する親機制御部１１、上述のセンサーモード設定ボタン部１２、インターホン子器３に動作電力を供給するための子器給電部１３、子器３からの起動信号を受信する子器起動信号検出部１４、子器３の状態監視などのために電圧変化を検出する子器電圧検出部１５、カメラ映像と音声を受信する映像音声受信部１６、家人のマイクからの音声を送出する音声送信部１７、スピーカ部１８、液晶、ＣＲＴなどで構成されたモニタ部１９、マイク部２０を備えている（図４）。
【００３３】
インターホン親機１とセンサー付きインターホン子器３とは、ペア線である伝送線Ｌを介して接続されており、双方の多重化回路部（不図示）により、伝送線Ｌを通じて、電力や映像信号、音声信号等が多重化伝送されるようになっている。なお、伝送線Ｌはペア線に限定するものではない。
【００３４】
このような構成において、センサー付きインターホン子器３の人感センサー４１が人を検知すると、子器制御部３１はセンサー信号を検出し、制御信号を起動信号発生部３２に伝達し、起動信号発生部３２はインターホン親機１に対して起動信号を送出する。
【００３５】
インターホン親機１では、この起動信号を検知すると、親機制御部１１はマイク部２０やモニタ部１９、スピーカ部１８に制御信号を出力して、報知動作をさせるとともに、子器給電部１３に対して、インターホン子器３への電力供給を開始する。
【００３６】
また、インターホン親機１のセンサーモード設定ボタン１２が操作されると、親機制御部１１はセンサーモードの報知／非報知モードの切り替えを行う。
【００３７】
このセンサーモードが切り替わったことをセンサー付きインターホン子器３に通知するために、本発明では、起動信号受信時の子器側への供給電力の電圧を変化させて給電するようにしており、子器電圧検出部３３が電圧値を検出して、報知／非報知いずれかのモードかを検知するようにしている。
【００３８】
このように、電圧値によりモード状態を通知しているので、センサー付きインターホン子器３は電圧値に応じて異なる動作を行うことができる。また、インターホン親機１は電力を変動させるだけでよいため、特別なモード信号を送出する必要もない。
【００３９】
なお、設定モードの通知は、電圧値変化によるものに限定されず、ボタン操作されたときにモード信号を送出するようにしてもよい。
【００４０】
設定モードの通知を受けたインターホン子器３は、報知モードであればカメラ３９を駆動させて撮像を開始し、その映像信号を親機側へ送出する動作を実行し、一方、非報知モードであれば、威嚇手段であるＬＥＤ３７やスピーカ３８から光、音を出力する。
【００４１】
図５は、インターホン子器３の給電電圧の波形例を示す図である。
【００４２】
上述したように、報知モード時にはインターホン子器３のカメラ３９を駆動させる必要がある。一方、非報知モードでは、親機側に映像を送る必要がないため、カメラ３９を駆動させる必要はない。
【００４３】
したがって、報知／非報知モードでは必要とする動作電力に差があり、そのため、たとえば図５に示すように、インターホン親機１は、子器３から起動信号を受信したときには、報知モードの場合は動作時給電電圧（１）、非報知モードの場合は動作時給電電圧（２）と、異なる電圧値の電力を供給するようにすればよい。
【００４４】
動作電力の供給を受けたインターホン子器３は、その電圧値を検出してモードを検知し、カメラ３９、威嚇用光源３７などモードに応じた機器を動作させることができる。
【００４５】
以上のようなセンサー４１が感応したときに必ず給電する方法では、人感センサー４１が頻繁に感応してしまうと、インターホン子器３への給電が断続的に長時間続くため、発熱、消費電力の増大などの問題が発生するおそれがある。
【００４６】
図６は、インターホン親機１からの給電方法の他例を説明するための電圧波形図であり、この給電方法により、断続的な給電を防止するようにしている。
【００４７】
図６に示すように、インターホン親機１では子器に対する給電を行う時間帯Ｔ１と行わない時間帯Ｔ３を設け、子器給電部１３から間欠的に動作電力の供給を行うようにしている。そして、未給電時間Ｔ３においては、その時間内に子器からの起動信号を無視する時間帯Ｔ２を設け、センサー感応による起動信号を受信しても、給電をいっさい行わないようにしている。この起動信号無視時間Ｔ２以外の時間帯は、起動信号の受け付けを許容し、報知または非報知モードに応じた電圧の給電を行うようにしている。
【００４８】
たとえば、給電時間Ｔ１と起動信号無視時間Ｔ２を各々数秒程度に設定すれば、非報知モードのときにセンサー付きインターホン子器３から起動信号が送られてきた場合には、数秒間の給電を行い、インターホン子器３からは光や音などで威嚇出力し、給電時間Ｔ１経過から未給電時間Ｔ３の時間帯は強制的に給電を停止するとともに、給電時間Ｔ１経過から数秒間Ｔ２はその時間帯の起動信号を無視し、起動信号無視時間Ｔ２経過後に起動信号を受け付けるようにする。
【００４９】
また、報知モードのときも同様に間欠的な給電を行うものであるが、カメラ撮像による監視を上記給電時間Ｔ１よりも長く行いたい場合には、報知／非報知モード別に異なった給電時間や未給電時間、起動信号無視時間を設定できるようにしてもよい。
【００５０】
このように間欠的な電力供給を行えば、カメラ監視や威嚇出力などの機能を有しながら、節電や発熱抑制効果を上げることが可能になる。
【００５１】
図７は、センサー感応型インターホンシステムの他の構成例を示した図である。
【００５２】
このインターホンシステムは、センサー付きインターホン子器３に、照明器具やスピーカ、他のセンサーなどの外部機器５を接続したものである。なお、センサー付きインターホン子器３およびインターホン親機１の構成は図１と同じであるため、各符号の説明は割愛する。
【００５３】
接続する外部機器５がたとえば照明器具であれば、非報知モードのときの威嚇のために、センサー検知に連動して照明を点滅させるなどしてもよいし、降雨センサーであれば、室内に降雨を報知するようにしてもよい。
【００５４】
インターホン親機１は、外部機器５が接続されたことを電圧変化で検知するようにしている。すなわち、図８に示しているように、センサー付きインターホン子器３に他の外部機器５がつながった場合、負荷が大きくなるため、待機時または動作時の電圧は降下し、インターホン親機１では、この電圧変動量を子器電圧検出部１５（図１）が検出し、外部機器５が接続されたと判断する。これをさらに具体的に説明する。
【００５５】
センサー付きインターホン子器３に降雨センサー５が接続されると、インターホン親機１では、待機電圧が待機時電圧（１）から待機時電圧（２）まで降下していることを検出することにより、降雨センサー５が接続されたことを検知する。
【００５６】
次に、センサー付きインターホン子器３では、人感センサー４１が感応した場合、インターホン子器３から降雨センサー５への電力供給を停止させ、外部機器５を接続しなかったときと同様の状態にする。すなわち、このときの動作電圧は動作時電圧（１）になる。そして、インターホン親機１は、この動作時電圧（１）を検出する。
【００５７】
一方、降雨センサー５が動作したときには、センサー動作により負荷が増えるため、インターホン親機１より同様な給電を行っても、インターホン子器３の動作電圧は動作時電圧（２）の状態となる。
【００５８】
このような構成により、インターホン親機１は、動作時電圧（１）を検出したときには報知音を鳴動させ不審者の徘徊を報知し、動作時電圧（２）を検出したときには異なる報知音で降雨を知らせることができる。
【００５９】
図９には、外部機器５が降雨センサーである場合の親機側の概略動作フローチャートを示している。
【００６０】
このように、インターホン親機１は変動する動作電圧を監視しているので、子器側に外部機器５を接続しても、報知等の動作を自動的に変えることができる。
【００６１】
なお、この例では、報知モードにおける２つの動作電圧（動作時電圧（１）、（２））を検出するようにしているが、非報知モードにおいても動作電圧の変動を検出できるようにして、複数種類の動作を自動的に行えるようにしてもよい。
【００６２】
【発明の効果】
以上の説明からも理解できるように、請求項１に記載のセンサー感応型インターホンシステムは、インターホン親機に報知／非報知の切り替えができる操作ボタンを設けているので、センサー感応時の室内報知の許諾／禁止の設定が容易にでき、その結果、報知を必要としないときには、室内への報知音鳴動を禁止できるとともに、子器側での光や音の威嚇出力により不審者を退散させることができる。
【００６３】
請求項２では、インターホン親機が起動信号を受けたときには、センサー付きインターホン子器に対して、報知／非報知モードに対応させて異なる電圧値の動作電力を供給しているので、インターホン子器は電圧値に応じて異なる動作を行うことができる。また、インターホン親機は電力を変動させるだけでよいため、特別なモード信号を送出する必要がない。
【００６４】
請求項３では、供給する電力は報知モードのときにはカメラ撮像動作のための高電圧、非報知モードのときには威嚇出力のための低電圧であり、子器の動作機器に合った給電であるため、電力消費の低減を図ることができる。
【００６５】
請求項４では、インターホン親機はインターホン子器に対して間欠的に動作電力を供給し、起動信号を無視する時間帯を設けているので、子器に対する断続的な給電を防止でき、節電効果を上げることができる。また、発熱を抑制することもできる。
【００６６】
請求項５では、インターホン子器にセンサー等の外部機器が接続されたとき、インターホン親機はインターホン子器の電圧変化を検知して、機器の接続を判別しているので、子器側の接続状態を自動認識し、その状態に合った動作をすることができる。
【００６７】
請求項６では、インターホン子器はセンサーが感応したとき外部機器への電力供給を停止する構成とし、機器が接続されている状態でも電圧低下しないようにしているので、インターホン親機は外部機器が接続された状態であっても、センサーが感応したのか、外部機器が動作したのかを子器の電圧変化により判別でき、報知等の動作を自動的に変えることができる。
【図面の簡単な説明】
【図１】本発明のセンサー感応型インターホンシステムの構成例を示した図である。
【図２】本発明のセンサー感応型インターホンシステムの全体構成を示すブロック図でである。
【図３】本発明のセンサー感応型インターホンシステムを構成するインターホン子器の内部構成を示すブロック図でである。
【図４】本発明のセンサー感応型インターホンシステムを構成するインターホン親機の内部構成を示すブロック図でである。
【図５】センサー付きインターホン子器に供給する電力の電圧波形の一例を示す図である。
【図６】インターホン親機からの給電方法の他例を説明するための電圧波形図である。
【図７】本発明のセンサー感応型インターホンシステムの他の構成例を示した図である。
【図８】図５で示す構成のセンサー感応型インターホンシステムの電圧波形の一例を示す図である。
【図９】外部機器が降雨センサーである場合のインターホン親機の概略動作フローチャートである。
【図１０】従来のセンサー感応型インターホンシステムの構成を示した図である。
【符号の説明】
１・・・インターホン親機
１２・・・センサーモード設定ボタン
１８・・・スピーカ
１９・・・モニタテレビ
２０・・・マイク
３・・・センサー付きインターホン子器
３７・・・威嚇用光源
３８・・・スピーカ
３９・・・カメラ
４０・・・マイク
４１・・・センサー
５・・・外部機器
【図１】
2004297203.tif 000003
【図２】
2004297203.tif 000004
【図３】
2004297203.tif 000005
【図４】
2004297203.tif 000006
【図５】
2004297203.tif 000007
【図６】
2004297203.tif 000008
【図７】
2004297203.tif 000009
【図８】
2004297203.tif 000010
【図９】
2004297203.tif 000011
【図１０】
2004297203.tif 000012